(57)【要約】【課題】  複数本の独立したカートリッジ式のペン本体を、連結させて複数の色のペン本体を一本にまとめることができ、収納や持ち運びにコンパクトになり、使用時にもバラバラに散らばることを軽減する、マーキングペン、ボールペンなどの筆記具を提供する。【解決手段】      カートリッジ式のペン本体（１）、（２）に、それぞれ鍔状部（３）、（４）を設け、それらのいずれの端からも、はめ込み連結および取外し可能な両端を有する中空軸状のペン胴体（５）、（６）を装着し、一本に連結構成することを特徴とする。ペン本体（１）、（２）に、凸状の連結部（１０）、（１１）、（１２）、（１３）を設け、これらのいずれともはめ込み連結および取外し可能とする、凹状の連結部（１４）、（１５）、（１６）、（１７）をペン胴体（５）、（６）に設け、これらを装着し、一本に連結構成する。【選択図】    図１
2006116930.tif 000002
【特許請求の範囲】
【請求項１】
カートリッジ式のペン本体（１）、（２）に、鍔状部（３）、（４）を設け、それらのいずれの端からも、はめ込み連結および取外し可能な両端を有する中空軸状のペン胴体（５）、（６）を装着し、一本に連結構成する。
【請求項２】
請求項１のペン本体（１）、（２）に、凸状の連結部（１０）、（１１）、（１２）、（１３）を設け、これらのいずれともはめ込み連結および取外し可能とする、凹状の連結部（１４）、（１５）、（１６）、（１７）をペン胴体（５）、（６）に設け、これらを装着し、一本に連結構成する。
【請求項３】
請求項１および請求項２のペン本体（１）、すなわち、鍔状部（３）および凸状の連結部（１０）、（１１）を設けたペン本体（１）のペン軸（７）の対向側にもペン軸（１８）を設ける。
【発明の詳細な説明】
【技術分野】
【０００１】  本発明は、マーキングペン、ボールペンなどの筆記具に関するものである。
【背景技術】
【０００２】  従来の筆記具には、ペン付カートリッジ形のペン本体を、中空軸のペン胴体一本の一端または両端に、装着および取外し可能なものや、また、中空軸のペン胴体一本の両端に、カートリッジ式ではない装着固定式のペン本体に、ペン軸を反対向きに設けたものや、また、複数のペンを内臓した、通称、ノック式のものなどがあった。
そして、本発明に係る、従来技術には、中空軸一本の両端スリーブにペン付カートリッジを交換形に施したものがある（例えば、特許文献１参照。）。また、ペン付カートリッジを連結配置しているものがある（例えば、特許文献２参照。）。
以下、特許文献１および特許文献２により従来の課題について説明する。
【特許文献１】特開２００３−４８３９８号公報（段落番号「００３７」、図１）
【特許文献２】登実第３０６６３６０号公報（要約書、選択図）
先ず、特許文献１について、その記載内容を段落番号を示して抜粋引用し、図は、本願書に転記掲載してないが、図番号、符号を、そのまま記載して説明する。
特許文献１には、段落番号「０００２」「従来の技術」の項において、「単一機能筆記具の主な問題点は、使用者が異なる筆記先端部を使用するためには別個の筆記具を交換しなければならないことにある。これにより、筆記具を交換し間違えたり、あるいは後で使用するために各筆記具を保持する形成体が必要になってしまう。」とし、そして、段落番号「０００３」の項において、この問題を解決するために開発された筆記具などの課題や、段落番号「０００７」の項において、「一般タイプのペン先が単一の筆記先端部を通って交互に突出されたりすべてのペン先が格納できる筆記具の組合せが開示されており、これにはそれぞれがインク補給部を有し、ペンの単一の筆記先端部から交互に突出させることの可能な４つのボールペン先を有する多色引込み可能ペン」などの従来の技術課題を列挙している。
そして、段落番号「００１１」「発明が解決しようとする課題」の項において、「従来の特許は、単一の筆記具として内蔵式であり、単一または複数の筆記先端部を保護するキャップを必要としない筆記具に、複数のマーキング先端部を設けるための解決法を提供していない。従来特許のいずれも、単一または複数のボールペン先と、万年筆、ローリングボールまたはフェルトマーカー、及び非マーキングスタイラスの利点を組み合わせつつ、使用するマーキング先端部のみを露出させる筆記具を開示していない。」とし、段落番号「００１２」の項において、「本発明の目的は、非マーキングスタイラス先端部を備える複数のマーキング先端部機能を有する単一の筆記具を提供することにある。」としている。
その結果、特許文献１は、自身の技術について、「発明の実施の形態」の項の段落番号「００３６」の項において、「図１及び図２は細長い前部１５及び分離可能な後部３０を有する本発明の多機能筆記具１０を示している。」とし、続いて段落番号「００３７」の項において、「前部１５は、スリーブ２７及び前方筆記先端部２０から成る一般に円筒形の本体である。前部１５の一方の端部には前方筆記具先端部２０が配置され、もう一方の端部にはスリーブ２７が配置されている。前方筆記先端部２０は、ボールペン先端部８０がそこから突出できるようなサイズに調整されている開口部２５を有している。好適には、前方筆記先端部２０は少なくとも１対のボールペン先端部８０、８２（図６に示す）を収容する。また、これらボールペン先端部８０，８２は図１に示すように、筆記位置に交互に選択可能であるか、あるいは図２に示すように非使用位置まで共に引込められる。ボールペン先端部８０、８２は交換可能なインクレフィルカートリッジを使用してもよい。」としている。
以上が、特許文献１記載の抜粋引用であるが、本従来技術の「発明の実施の形態」から、本発明に係る要件の要点を、要約をすれば、「中空軸一本の両端スリーブにペン付カートリッジを交換形に施したもの」であり、本従来技術の課題は、本発明のように、中空軸のスリーブ両端いずれにも連結可能なペン付カートリッジを連結して、かつ、ペン付カートリッジを連結部として、さらに中空軸のスリーブを、複数連結配置するものではない。
次に、特許文献２について、当該文献の要約書記載内容を引用して、選択図は本願書に転記、掲載してないが、選択図中の符号を、そのまま記載して説明する。
特許文献２の要約書には、「課題」の項において、「通常は筆記具として使用すると共に、積木玩具のブロックとしても使用することができる。」としている。そして、「解決手段の項において、「先端に心部材１１が突設されてある複数個のカートリッジ１と、これに嵌合連結可能の少なくとも一個のジョイント部材２より構成された筆記具であって、カートリッジ１は、先端に芯部材の一端を挿入する筒状突起部１２が、かつ後端に他のカートリッジ１の突起部を直列状に嵌挿連結する挿入孔１３がそれぞれ設けられ、カートリッジ１の外周面に係合突条１６と、この係合突条に対応する係合凹溝１７とを設け、他のカートリッジの係合凹溝と突条を前記係合突条と凹溝に係合させることで両カートリッジを並列状に連接可能な構造とし、ジョイント部材２は、任意の形状の本体と、この本体の少なくとも一部に設けられ前記カートリッジの挿入孔２３に挿入可能の突起部２２とからなり、カートリッジと縦，横方向に嵌合連結自在に構成した。」としている。
以上が、特許文献２の要約書記載内容であるが、本発明に係る要件の要点を、要約をすれば、「ペン付カートリッジ本体自体をその片端方向からのみ複数連結配置するもの」であり、本従来技術の課題は、本発明のように、中空軸のスリーブ両端いずれにも連結可能、かつ、複数連結配置するものではない。
【発明の開示】
【発明が解決しょうとする課題】
【０００３】  従来技術には、次のような欠点があった。
（イ）  カートリッジ式ではない装着固定式の通常のマーキングペン、例えば、蛍光ペンは、独立したインクホルダー（９）相当のものが無く、１本で１色なので、複数の色が必要な場合、複数本のペンが必要であり、持ち運ぶ時にかさばったり、使用時にバラバラに散らばり、探しにくかったりした。
（ロ）  カートリッジ式のものは、ペン本体（１）相当のカートリッジ１つと、ペン胴体（５）相当の中空軸１つで、一本の筆記具を構成するものであり、複数の中空軸と複数のペン本体カートリッジで連結構成する機能はなかった。
（ハ）  複数のペンを内蔵したノック式のものは、ペン本体を中空軸内部に内蔵するため、ペン軸の太い蛍光ペンには不向きで、内臓本数にも制限があった。
（ニ）  特許文献１の技術は、中空軸両端スリーブのいずれにもペン付カートリッジを着脱可能であるが、中空軸が１本の構成構造なので、ペン付カートリッジを連結部として、複数の中空軸を連結構成できない。
（ホ）  特許文献２の技術は、カートリッジ本体の一端を連結部としているので、ペン軸が一方向に連結されるのみで、両端を筆記具として連結構成できない。
本発明は、これらの欠点を除くためになされたものである。
【課題を解決しょうとする手段】
【０００４】（イ）  カートリッジ式のペン本体（１）、（２）に、鍔状部（３）、（４）を設け、それらのいずれの端からも、はめ込み連結および取外し可能な両端を有する中空軸状のペン胴体（５）、（６）を装着し、一本に連結構成する。
（ロ）  ペン本体（１）、（２）に、凸状の連結部（１０）、（１１）、（１２）、（１３）を設け、これらのいずれともはめ込み連結および取外し可能とする、凹状の連結部（１４）、（１５）、（１６）、（１７）をペン胴体（５）、（６）に設け、これらを装着し、一本に連結構成する。
（ハ）  ペン本体（１）のペン軸（７）の対向側にもペン軸（１８）を設ける。
本発明は、以上のような構成よりなる、筆記具である。
【発明の効果】
【０００５】  独立したカートリッジ式のペン本体を、７本とか任意の本数を連結させて、複数の色のペン本体を一本の筆記具にまとめることができるので、収納や持ち運びにコンパクトになり、使用時にもバラバラに散らばりにくくすることが容易になる。また、中空軸状のペン胴体とペン本体の長さを、適当な長さにすることにより、ペン本体の向きを自由に、すなわち、ペン軸を向き合わせた状態でも、複数連結収納できる。
【発明を実施するための最良の形態】
【０００６】  収納状態を示す図３のように、ペン本体（１）、（２）、（２１）、（２２）およびペン胴体（５）、（６）、（２３）とを、それぞれはめ込み連結させる。そして、ペン軸（７）を露出したトップのペン本体（１）の収納は、着脱可能な凹状の連結部（２０）を設けたトップキャップ（１９）をはめ込み装着して収納する。
【実施例】
【０００７】  以下、本発明の実施例について説明する。
（イ）  使用時には、図４のように、トップキャップ（１９）を、ペン本体（２２）に連結させる。この時、それぞれのペン本体の連結配置は目的に合わせて自由に、はめ込み連結させて使用する。それぞれの取外しに際しては、例えば、鍔状部（４）を指先で押さえて、ペン胴体（５）、（６）のいずれかを引抜く要領で、目的のカートリッジ端を容易に出すことができる。また、例えば、ペン本体（２２）は、図３の状態とは、逆に差し替えて、即使用できる。
（ロ）  その他の収納状態および使用状態の例は、図５のように、ペン本体の連結部、例えば、ペン本体（１）の凸状の連結部（１０）に、着脱可能な凹状の連結部（２６）を設けたボトムキャップ（２５）を装着して収納する。使用時には、図５に示す、トップキャップ（１９）に設けた凸状の連結部（２４）に、ボトムキャップ（２５）を、図６に示すように、装着して使用する。
（ハ）  ペン本体（１）のペン軸（１８）は、ペン軸（７）とインクホルダー部を共用して同一色になるが、異なる太さや、形状のものを設けて使用する。
【産業上の利用可能性】
【００８】  一般のペン直径約１ｃｍ、長さ約１４ｃｍの寸法で、複数のペンを、例えば、３つの異なる色の蛍光ペンカートリッジを連結させて、３色蛍光ペンとして、通常に販売、使用したり、また、長尺に７本連結させて、虹の７色ペンなどとして、ユニークなペンの展示、販売、贈呈用等としてアピールしたり、産業界の活性化も図れる。
【図面の簡単な説明】  発明に直接関係する、ペン本体、鍔状部、状連結部等は誇張して描いている。【図１】側面図  本発明の請求項１、２の側面図であり、一部を断面図で示したものである。
【図２】側面図  本発明の請求項３を示した側面図である。
【図３】側面図  本発明の実施例の収納状態を示す側面図で、一部を断面図で示したものである。
【図４】側面図  本発明の実施例の使用状態を示す側面図である。
【図５】側面図  本発明の変形実施例の収納状態を示す側面図で、一部を断面図で示したものである。
【図６】側面図  本発明の変形実施例の使用状態を示す側面図である。
【符号の説明】
１  ペン本体
２  ペン本体
３  鍔状部
４  鍔状部
５  ペン胴体
６  ペン胴体
７  ペン軸
８  ペン軸
９  インクホルダー部
１０  凸状連結部
１１  凸状連結部
１２  凸状連結部
１３  凸状連結部
１４  凹状連結部
１５  凹状連結部
１６  凹状連結部
１７  凹状連結部
１８  ペン軸
１９  トップキャップ
２０  凹状連結部
２１  ペン本体
２２  ペン本体
２３  ペン胴体
２４  凸状連結部
２５  ボトムキャップ
２６  凹状連結部
【図１】
2006116930.tif 000003
【図２】
2006116930.tif 000004
【図３】
2006116930.tif 000005
【図４】
2006116930.tif 000006
【図５】
2006116930.tif 000007
【図６】
2006116930.tif 000008